(57)【要約】  ストーマ周囲皮膚表面との初期係合のための略凸形状を有する適応可能なオストミー面板であり、及びストーマ周囲皮膚表面の形状に密に係合してストーマ周囲皮膚表面に永久係合するために略凹形状に反転され得る。面板は、トップフィルムの遠位表面上に配置された補強リングを含み、及び補強リングの内側にある面板の内側セクションには、同心状の山及び谷の列によって画定される起伏が設けられており、前記列は、ストーマ受入用貫通穴から補強リングに向かって且つ少なくとも部分的に補強リングの下で外側に進む。
2018527999.tif 000002
【特許請求の範囲】
【請求項１】
可撓性トップフィルムを含む適応可能なオストミー面板であって、第１のセクション及び第２のセクションを有し、且つ少なくとも前記可撓性トップフィルムの近位表面上の第１の皮膚に優しい弾性粘着剤と、前記第１のセクションの内部境界を画定するストーマ受入用貫通穴であって、前記第１のセクションは、前記貫通穴に隣接し、且つ前記貫通穴から半径方向に延び、及び前記第２のセクションは、前記第１のセクションを取り囲み、前記第２のセクションの外部境界は、前記面板の外部境界を画定する、ストーマ受入用貫通穴と、１つ以上の剥離ライナーとを有し、ストーマ周囲皮膚表面との初期係合のための略凸形状を有し、且つ前記ストーマ周囲皮膚表面の形状に密に係合して前記ストーマ周囲皮膚表面に永久係合するために略凹形状に反転可能であるように構成されており、前記可撓性トップフィルムの遠位表面上において前記内部境界と前記外部境界との間に配置された補強リングを含み、前記第１のセクションは、前記面板の前記遠位表面の半径方向範囲内において、前記内部境界から前記補強リングの下の位置まで設けられた同心状の起伏の列を含む、適応可能なオストミー面板。
【請求項２】
前記起伏は、山及び谷の形態である、請求項１に記載のオストミー面板。
【請求項３】
前記起伏は、少なくとも２つの山を含む、請求項２に記載のオストミー面板。
【請求項４】
前記第１のセクションの前記皮膚に面する近位表面は、概ね平坦な表面である、請求項１〜３のいずれか一項に記載のオストミー面板。
【請求項５】
前記補強リングの下の低い山は、前記補強リングの幅より大きい幅を有する、請求項１〜４のいずれか一項に記載のオストミー面板。
【請求項６】
前記補強リングの下の前記低い山は、前記粘着剤層の厚みの８０〜９５％の厚みを有する、請求項５に記載のオストミー面板。
【請求項７】
前記補強リングは、前記ストーマ受入用開口部からの半径方向距離の０〜６０％、例えば、前記内部境界から前記外部半径方向境界までの前記半径方向距離の０〜５０％、又はより具体的には前記内部境界から前記外部半径方向境界までの前記半径方向距離の１〜４０％、又は更により具体的には前記内部境界から前記外部半径方向境界までの前記半径方向距離の２〜３０％、又は特に前記内部境界から前記外部半径方向境界までの前記半径方向距離の５〜２０％に配置されている、請求項１〜６のいずれか一項に記載のオストミー面板。
【請求項８】
前記補強リングは、前記粘着剤層及び／又は前記トップフィルムより硬質の材料で作製されている、請求項１〜７のいずれか一項に記載のオストミー面板。
【請求項９】
前記補強リングは、熱可塑性材料で作製されている、請求項１〜８のいずれか一項に記載のオストミー面板。
【請求項１０】
前記面板の前記第２のセクションは、中心領域から離れる方に延びる複数の花弁部及び複数のブリッジの形態であり、各ブリッジは、前記複数の花弁部のうちの隣接する花弁部間に形成されている、請求項１〜９のいずれか一項に記載のオストミー面板。
【請求項１１】
少なくとも３つの花弁部を含む、請求項７に記載のオストミー面板。
【請求項１２】
前記花弁部は、前記中心部分の周縁に等間隔で離間されている、請求項７又は８に記載のオストミー面板。
【請求項１３】
前記少なくとも１つの剥離ライナーは、形態安定であり、且つ前記面板の凹状輪郭を固定することができる、請求項１〜１２のいずれか一項に記載のオストミー面板。
【請求項１４】
前記粘着剤層と前記トップフィルムとを組み合わせた剛性より高い剛性を有する剥離ライナーが設けられている、請求項１〜１３のいずれか一項に記載のオストミー面板。
【請求項１５】
前記剥離ライナーは、０．１５ｍｍの厚みを有する、請求項１〜１４のいずれか一項に記載のオストミー面板。
【請求項１６】
前記面板の外側周縁部全体にエンボス線が設けられている、請求項１〜１５のいずれか一項に記載のオストミー面板。
【請求項１７】
収集バッグ及び請求項１〜１３のいずれか一項に記載の適応可能なオストミー面板を含むオストミー装具であって、前記収集バッグは、前記面板から着脱可能である、オストミー装具。
【請求項１８】
収集バッグ及び請求項１〜１４のいずれか一項に記載の適応可能なオストミー面板を含むオストミー装具であって、前記収集バッグは、前記面板と一体化されている、オストミー装具。
【発明の詳細な説明】
【技術分野】
【０００１】
使用者の皮膚表面に取り付けるための適応可能なオストミー面板、及び粘着性面板に接続される収集用バッグが開示される。適応可能な面板は、トップフィルムと、粘着剤組成物と、少なくとも１つの剥離ライナーとを含む。
【図面の簡単な説明】
【０００２】
【図１】適応可能な面板の一実施形態を示す。
【図２】適応可能な面板の一実施形態の断面図を示す。
【図３ａ−３ｂ】収集バッグのためのカップリングを備える適応可能な面板の一実施形態を示す。
【図４】反転された適応可能な面板の一実施形態の断面図を示す。
【発明を実施するための形態】
【０００３】
実施形態は、添付の特許請求の範囲による適応可能なオストミー面板を提供する。
【０００４】
添付の特許請求の範囲の主題に関するいくつかの定義を以下に記載する。
【０００５】
デバイス又はデバイスの一部の近位側について述べる場合、オストミー装具が使用者に装着されたときに皮膚に面する側について述べる。同様に、デバイス又はデバイスの一部の遠位側について述べる場合、オストミー装具が使用者に装着されたときに皮膚と反対側に面する側について述べる。換言すると、近位側は、装具が使用者に取り付けられたときに使用者に最も近い側であり、遠位側は、反対側、即ち使用時に使用者から最も遠く離れた側である。
【０００６】
軸方向又は軸方向には、装具が使用者に装着されたときのストーマの方向と定義される。したがって、軸方向は、使用者の腹部表面に実質的に垂直である。
【０００７】
半径方向又は半径方向には、軸方向を横断する方向、即ちストーマの方向を横断する方向と定義される。
【０００８】
「適応可能なオストミー面板」は、使用者又は保健医療従事者の所期の相互作用により、オストミー面板の少なくとも一部がその形態又は形状を変化させ得ることを定義するものである。
【０００９】
「可撓性トップフィルム」は、製品を使用者の皮膚に付着させるための粘着材料をその上に担持又は配置させたフィルム材料を定義するものであり、トップフィルム材料は、非常に高い伸度又は伸び率でも破断又は弱化しない。可撓性トップフィルムについて以下で更に定義する。
【００１０】
「皮膚に優しい弾性粘着剤」は、使用者の皮膚に刺激を与えるリスクが低い粘着材料を定義するものであり、粘着材料は、破断するか又は特性を略変えることなく可撓性トップフィルムの伸長及び緩和に追従することができる。皮膚に優しい弾性粘着剤について以下に更に定義する。
【００１１】
「粘着性面板」は、皮膚に優しい粘着剤によって近位表面上にコーティングされたトップフィルムを定義するものである。
【００１２】
「略凸形状」は、要素又はその対応する表面が全体的に凸面を付与する形状又は形態を有することを定義するものである。換言すると、全体的な要素又はその対応する表面の一部を構成する小さいセクション又はゾーンは、例えば、直線形状又は形態を有してもよいが、要素又は表面は全体として凸形状を有する。シート状又は板状要素において１つの主表面が凸形状を有する場合、裏側の主表面は、必然的に対応する凹形状を有し得ることが当然理解されるべきである。しかしながら、単に明確にするため及び本願に関して、両方とも上に定義したように、「凸」は近位側、及び「凹」は遠位側を意味することが好ましい場合がある。
【００１３】
同様に、「略凹形状」は、要素又はその対応する表面が全体的に凹面を付与する形状又は形態を有することを定義するものである。
【００１４】
「初期係合」は、製品の適用工程におけるオストミー面板と使用者の皮膚表面との間の最初の接触を定義するものである。しかしながら、オストミー面板が完全に及び機能的に正しく皮膚表面に取り付けられることを意味するものではない。
【００１５】
「永久係合」は、適用工程が完了し、オストミー面板が完全に及び機能的に正しく皮膚表面に取り付けられたときのオストミー面板の係合又は取り付けを定義するものである。しかしながら、永久係合は、オストミー面板の通常寿命又は装着時間にわたることを単に意味するものであると理解すべきである。
【００１６】
「剥離ライナー」は、皮膚に優しい粘着剤の近位（皮膚接触）側を覆うライナーを定義するものであり、少なくとも粘着剤の特性を保持し、粘着表面が使用直前まで露出されないようにする。
【００１７】
「密に係合する」は、オストミー面板と皮膚表面との間の取り付けが場合により許容できるほど良好であり、少なくとも面板の近位表面上に折り目又はしわがないか、わずかな折り目又はしわのみがあることを定義するものである。
【００１８】
「ストーマ周囲皮膚表面」は、ストーマに隣接し且つストーマを取り囲む皮膚表面の領域を定義するものである。この領域の範囲は、オストミー面板の少なくとも第１のセクションによって覆われる皮膚表面積に略一致すると考えてよい。したがって、第１のセクションは第２のセクションよりもストーマに近い。
【００１９】
「反転可能な」は、少なくとも第１のセクション及び／又は第２のセクションが、セクションの急な切り換え又は「裏返し」を伴わない（即ち、特定の力閾値に達すると形状を変化し得る双安定構造で知られるような）動きにより、略凸形状から略凹形状に又はその逆に移行するのに抵抗が略ないか又は全くないことを定義するものである。
【００２０】
「保管形態」は、適用が完了する前の面板の状態を表すものである。面板は、この形態において安定しており、この形態において保管することができる。適用の初期段階において、面板は保管形態であってもよい。
【００２１】
「使用形態」は、適用が完了した後の面板の状態を表すものであり、保管形態を反転した形態である。
【００２２】
実施形態は、可撓性トップフィルムを含む適応可能なオストミー面板であって、第１のセクション及び第２のセクションを有し、且つ少なくとも前記可撓性トップフィルムの近位表面上の第１の皮膚に優しい弾性粘着剤と、前記第１のセクションの内部境界を画定するストーマ受入用貫通穴であって、前記第１のセクションは、前記貫通穴に隣接し、且つ前記貫通穴から半径方向に延び、及び前記第２のセクションは、前記第１のセクションを取り囲み、第２のセクションの外部境界は、面板の外部境界を画定する、ストーマ受入用貫通穴と、１つ以上の剥離ライナーとを有し、ストーマ周囲皮膚表面との初期係合のための略凸形状を有し、且つストーマ周囲皮膚表面の形状に密に係合してストーマ周囲皮膚表面に永久係合するために略凹形状に反転可能であるように構成されており、可撓性トップフィルムの遠位表面上において内部境界と外部境界との間に配置された補強リングを含み、第１のセクションは、面板の遠位表面の半径方向範囲内において、内部境界から補強リングの下の位置まで設けられた同心状の起伏の列を含む、適応可能なオストミー面板を提供する。
【００２３】
一実施形態では、面板の遠位表面は同心状の起伏の列を含む。一実施形態では、この起伏は谷及び山の列の形態である。一実施形態では、起伏は面板内の隆起として設けられており、可撓性トップフィルムが形成されており、粘着剤層は可撓性トップフィルムの起伏に追従するように形成されている。一実施形態では、面板の粘着剤層は、比較的薄い厚みの谷及び比較的厚い厚みの山へ形成されている。粘着剤層の厚みは、粘着剤層の皮膚に面する（近位）表面から可撓性トップフィルムの近位表面までの距離として、粘着剤層の皮膚に面する表面に垂直に測定される。粘着剤層の皮膚に面する（近位）表面は概ね平坦な表面である、即ち、粘着剤層の皮膚に面する表面は起伏していないと理解すべきである。実施形態では、起伏は、第１のセクションの全体に又は第１のセクションの一部分のみに連続的に設けられている。一実施形態では、起伏は同一パターンで形成されている。一実施形態では、起伏は第１のセクションの別々の領域に配置されている。実施形態では、起伏は、補強リングの下に少なくとも部分的に延びている可撓性トップフィルムの領域内、及びリングの隣の半径方向に内側に延びている領域内に設けられている。
【００２４】
実施形態では、同心状の起伏は、ストーマ受入用貫通穴から半径方向外側へ補強リングに向かって進む同心状の山及び谷の列によって画定される。実施形態では、同心状の山及び谷は略円形であり、又は楕円形、星形、四角形、若しくは他の幾何学的構成など、面板の外周部の幾何学的形状又は補強リングの幾何学的形状に対応する。
【００２５】
実施形態では、山間の距離は、１〜３ｍｍ、例えば１〜２ｍｍ、例えば１，５〜２ｍｍであってもよく、この距離は、山の中心から隣接する山の中心まで半径方向に測定される。山における粘着剤層の厚みは、１〜６ｍｍ、例えば１〜４ｍｍ、例えば１〜２ｍｍ、又は更に１，２〜１，８ｍｍであってもよい。谷における粘着剤層の厚みは、山における粘着剤層の厚みの５〜９０％、例えば１０〜８５％、例えば１５〜８０％、例えば２０〜８０％、又は更に約７０％であってもよい。
【００２６】
開示される面板は、突出しているストーマの周りのストーマ周囲皮膚表面への適用中に反転可能であるように構成されている。このような反転により、可撓性トップフィルムは塑性変形する傾向にあり、粘着剤層は圧縮される傾向にある。
【００２７】
本開示の実施形態によれば、第１のセクションの起伏は、ストーマ周囲皮膚表面への適用中に面板が反転されたとき、可撓性トップフィルムが十分に伸張できる（「伸びる」）ことを可能にする。更に、谷における粘着剤層の比較的薄い厚みにより、粘着剤が圧縮する傾向が低下する。これにより、最終的に皮膚表面から面板を脱離することにつながり得る内部境界の近傍における面板の望ましくない「浮き」を低減又は排除する。換言すると、起伏の効果の１つは、薄い層によるより可撓性のある粘着剤の構造とともに、山及び谷によってより多くのトップフィルムが付与されることから、面板が反転されたときに可撓性トップフィルムが皮膚から粘着剤を引き離さないことである。
【００２８】
補強リングと貫通穴との間に位置する面板の部分である第１のセクションにある山及び谷は、トップフィルム及び粘着剤がより容易に伸張及び圧縮するのを可能にするとともに、面板を使用者の皮膚に取り付けるために反転した後、面板が皮膚の輪郭に追従することを可能にする。
【００２９】
実施形態では、補強リングの下の領域に起伏が設けられている。この起伏は、１つ以上の山及び谷の形態であってもよく、又は領域全体に延びる１つの低い山であってもよい。実施形態では、補強リングの下の低い山は、補強リングの幅より大きい幅（半径方向に測定した）を有する。リングの下の低い山は、リングに実質的に一致するか、又はリングより広い幅を有してもよい。リングの下及びリングの外側周縁部に沿った、トップフィルムへのリングの固定点近傍の起伏は、補強リングが枢動するためのヒンジとして機能してもよく、それにより、面板の反転後、第１のセクションが上向きに裏返ることを防止する。
【００３０】
実施形態では、低い山は、山の粘着剤層の厚みの８０〜９５％、例えば８６〜９２％の厚みを有してもよい。
【００３１】
実施形態では、起伏は少なくとも２つの山及び２つの谷を含む。
【００３２】
実施形態では、面板の外部境界は、第２の部分の外部境界によって画定される。
【００３３】
実施形態では、面板の第２のセクションは、半径方向に延びている花弁部を含み、花弁部は、半径方向により少なく延びているブリッジによって相互連結されている。したがって、実施形態では、面板の外周部は星形又は花形である。実施形態では、面板は少なくとも３つの花弁部、例えば４つの花弁部、例えば５つの花弁部、又は更に例えば６つの花弁部を含む。
【００３４】
実施形態では、花弁部は、中心部分の周縁に等間隔で離間されていてもよい。
【００３５】
花弁部は、花弁部のない面板に比べて少ない折り目及びしわを有することにより、膨らんだストーマ周囲皮膚表面に面板を「調整してフィットさせること」を容易にする。
【００３６】
実施形態では、外側周縁部に隣接する面板の周囲部分にエンボス線が設けられている。実施形態では、エンボス線はブリッジ又は花弁部などの外側周縁部のセクションに配置されている。実施形態では、エンボス線は面板の外側周縁部全体に沿って適用されている。エンボス線は面板の可撓性を増加させるのみならず、面板の周囲部分の折り目及びしわを低減する。実施形態では、エンボス線は、経験から折り目が通常又は自然に発生する場所に配置されており、それにより折り線の力を吸収する。
【００３７】
実施形態では、面板に、適用前の近位粘着表面を保護するための少なくとも１つの剥離ライナーが設けられている。剥離ライナーは形態安定であってもよく、且つ面板の凹状輪郭を安定させ、固定することが可能であってもよい。実施形態では、面板が弾性であるため、適用まで面板をその凸形状に維持できるほど十分に剛性のある剥離ライナーを有すると有利である。
【００３８】
実施形態では、剥離ライナーは熱形成できる材料から作製されている。剥離ライナーは、トップフィルムと粘着剤層とを組み合わせた剛性より高い剛性を有してもよい。剥離ライナーは、０．１０〜０．２０ｍｍ、より好ましくは０．１５ｍｍの厚みを有してもよい。剥離ライナーは０．１５ｍｍの厚みを有してもよい。
【００３９】
オストミー面板とともに使用される少なくとも１つの剥離ライナーは、好適には、シリコン処理又はフッ素処理したライナー、例えば、シリコン処理又はフッ素処理したクラフト紙、ポリエチレン、ポリプロピレン、又はポリエチレンテレフタレートフィルムであってもよい。
【００４０】
実施形態では、適応可能な面板に収集バッグが設けられる。収集バッグは面板に永久的に取り付けられても、着脱式であってもよい。
【００４１】
実施形態では、オストミー面板は、収集バッグの取り付け用のカップリング手段が設けられている。カップリング手段は機械的カップリングの形態であっても、粘着剤カップリングであってもよい。
【００４２】
補強リングは、剥離ライナーが取り外されたとき、適応可能な面板が面板の凸形状を維持し、安定させることを容易にする。
【００４３】
実施形態では、補強リングは、ストーマ受入用開口部からの半径方向距離の０〜６０％、例えば内部境界から外部半径方向境界までの半径方向距離の０〜５０％、又はより具体的には内部境界から外部半径方向境界までの半径方向距離の１〜４０％、又は更により具体的には内部境界から外部半径方向境界までの半径方向距離の２〜３０％、又は特に内部境界から外部半径方向境界までの半径方向距離の５〜２０％に配置されている。本明細書中において外部半径方向境界は、面板に花弁部が設けられている場合にはブリッジにおいて測定された面板の外部境界の最小半径と定義される。補強用リングは、面板の第１のセクションと第２のセクションとの間の境界を画定する。
【００４４】
実施形態では、補強リングは、粘着剤層及び／又はトップフィルムより硬質の材料で作製されている。実施形態では、補強リングは熱可塑性材料で作製されている。
【００４５】
実施形態では、補強リングは、半径方向軸線に沿って、オストミー面板の粘着剤及び／又はトップフィルムより高い剛性を付与する材料で作製されている。実施形態では、補強リングは、軸方向に沿って、オストミー面板の粘着剤及び／又はトップフィルムより高い剛性を付与する材料で作製されている。
【００４６】
実施形態では、補強リングは、剥離ライナーが取り外されたときに面板を凸形状に安定させることを容易にする。
【００４７】
実施形態では、補強リングの幅は、約５〜７ｍｍ、例えば５〜７ｍｍ、例えば５．５ｍｍである。２部品オストミー装具に関する実施形態では、補強リングは収集バッグの取り付け用のカップリングと組み合わせることができる。このような実施形態では、補強リングの幅は、１１ｍｍまででより広く作製されている。
【００４８】
補強リングは、その外側周縁部に沿ってトップフィルムに取り付けられ、粘着剤ウェハがリングの下でより自由に伸張及び圧縮することを可能にしてもよい。
【００４９】
面板の凹／凸形状は、球の一部分であってもよい。これは、突出したストーマへの簡単な装着を促す。面板の中心部の湾曲は、湾曲した身体部分にフィットしてもよく、外部境界に沿う花弁部はこの身体部分の周辺領域への調整されたフィット性を可能にしてもよい。実施形態では、面板の第１のセクションの少なくとも一部分は実質的に平坦であってもよい。
【００５０】
第１の態様において、いくつかの有利な効果が得られる。第１に、隆起若しくはヘルニア又はそれ以外の「盛り上がった」形状の皮膚表面上にストーマが位置する使用者の製品適用手順の制御が向上する。
【００５１】
この効果は、少なくとも部分的に以下の手法で達成される。少なくとも部分的に第１のセクションを覆う少なくとも１つの剥離ライナーを取り除いた後、使用者は、ストーマ受入用貫通穴に直接隣接する第１のセクションの一部分をストーマ周囲皮膚表面と係合させ、これにより、可撓性トップフィルムの近位表面上の粘着剤の小領域のみをストーマ周囲皮膚表面と係合させる。
【００５２】
これにより、初期係合の位置合わせ不良があった場合、可撓性トップフィルムの近位粘着表面全体を皮膚表面と係合させることなくオストミー面板の位置をより適切な位置に修正する機会が使用者に与えられる。これは、使用者によるストーマの視認が限られているか又は全くできない場合に特に有利となり得る。
【００５３】
更に、少なくとも第１のセクションは第１の略平坦又は凸形状を有することから、使用者が製品を適用するために隆起又はヘルニア上に位置するストーマに手を伸ばす際、ストーマ及び／又はストーマ周囲領域の触覚及び／又は視認が向上する。この理由は、最初にストーマ周囲皮膚表面に係合していない第１のセクションの部分が皮膚表面から離れる方に延びていることで面板と皮膚との間にいくらかのスペースが残り、使用者の１本以上の指のための余地が与えられ、これにより、第１のセクションはまた、面板をストーマに対して正しく位置決めするために行う可能性のある視認を遮断したり妨げたりしないからである。
【００５４】
第１のセクションの初期係合が実施されると、使用者は面板を略凹形状に反転させ、第１及び第２のセクションを隆起又はヘルニア上のストーマ周囲皮膚表面と密に係合させる。
【００５５】
本開示によれば、使用者が第１のセクションの遠位表面に弱い圧力をかけると、第１のセクションの粘着近位側はストーマ周囲皮膚表面の形状にスムーズに適応する。
【００５６】
これは、使用者が指をストーマに直接隣接させて配置し、遠位側表面に圧力をかけ、第１のセクションの遠位表面に、ストーマから半径方向に離れる方に指を優しく滑らせることにより自らの指で１つ以上の半径方向の動きを描くことにより、有利にしかし非排他的に行ってもよい。或いは、この適応は、指をストーマに直接隣接させて配置し、遠位表面に圧力をかけ、第１のセクションの遠位表面全体をストーマから次第に離れる方に「螺旋状」パターンで指を優しく滑らせる動きによって行ってもよい。
【００５７】
しかしながら、適応の手法を問わず、少なくとも可撓性トップフィルムの可撓性及び皮膚に優しい粘着剤の弾性は、第１のセクションの平坦又は凸形状とともに、第１のセクションの密な係合を可能にする。
【００５８】
上記から理解され得るように、可撓性トップフィルム及び皮膚に優しい弾性粘着剤は、連続的で規則的な動きによる、ストーマ周囲皮膚表面への適用のための第１のセクションの反転を容易にする。これにより、使用者による適用工程の制御が向上する。これは、例えば、双安定構造（即ち１つの形態から別の形態に、例えば、凸から凹に形状を変化する１つの所定の状態を有する構造）の場合に当てはまる急な動きとは対照的であると理解すべきである。
【００５９】
本発明による可撓性トップフィルムは、主として、１種以上のエチレン酢酸ビニル（ＥＶＡ）材料、１種以上の熱可塑性ポリウレタンエラストマー（ＴＰＵ）系材料、及び１種以上のポリエチレン（ＰＥ）材料を基にしたブローフィルムであってもよい。
【００６０】
特にしかし非排他的に、ＥＶＡ及びＴＰＵ系材料は、トップフィルムが粘着剤及び任意の第１のカップリング手段などのオストミー面板の他の要素と係合するための、又はワンピース型オストミー装具に使用される面板の場合、人体の排泄物用の収集用バッグの材料と係合するための良好なベースを付与してもよい。ＰＥ材料は、特にしかし非排他的に、使用者の皮膚表面の形状と密に係合することができるように可撓性トップフィルムを凸形状又は凹形状に形成するための適切なベースを付与してもよい。
【００６１】
実施形態では、可撓性トップフィルムは３層積層品である。
【００６２】
特にしかし非排他的に、可撓性トップフィルムは、３つの個々の（ブロー成形）層を含む積層品として作製してもよく、層のそれぞれは、ＥＶＡ、ＴＰＵ若しくはＰＥのいずれか、又はこれらのブレンドから作製されている。３層を同時にブロー成形してもよい。３層積層品では、最遠位（オストミー面板が使用されている状態を基準として）層は、Ｅｌｖａｘ（登録商標）３１９０と、ＤｕＰｏｎｔのＥＶＡ材料と、ＡｒｋｅｍａのＰＥ材料であるＯｒｅｖａｃ（登録商標）１８３６０とのブレンドから作製してもよく、中間層はＥｌｖａｘ（登録商標）３１９０と、ＢＡＳＦのＴＰＵ−ポリエステル材料であるＥｌａｓｔｏｌｌａｎ（登録商標）８９０と、ＢＡＳＦの別のＴＰＵ−ポリエステル材料であるＥｌａｓｔｏｌｌａｎ（登録商標）９７８とのブレンドから作製してもよく、近位層は、また、Ｅｌｖａｘ（登録商標）３１９０と、Ｅｌａｓｔｏｌｌａｎ（登録商標）８９０と、Ｅｌａｓｔｏｌｌａｎ（登録商標）９７８とのブレンドから作製してもよい。これらの成分に加えて、３層積層品の遠位層及び近位層のそれぞれは微量のスリップ剤も含んでよい（オストミー面板の製造のためにトップフィルム材料を巻き出す際の補助のため）。スリップ剤は、ＰＥ／ＥＶＡポリマー担体含有シリカ、オレアミド（脂肪酸オレイン酸）及びエルカ酸アミド（一価不飽和オメガ９系脂肪酸）、例えば、Ｐｏｌｙｓｔａｔｉｃ（登録商標）９０２００−２であってもよい。スリップ剤中のシリカ、オレアミド及びエルカ酸アミドはスリップ効果を付与する。
【００６３】
可撓性トップフィルムの総厚は３０〜７０μ、例えば３５〜５０μ、例えば４０μの範囲であってもよい。３層積層品の実施形態では、各個々の層は、個々の層の製造を容易にするために少なくとも１０μの厚みを有してもよい。
【００６４】
可撓性トップフィルムは可撓性を有してもよく、可撓性は、可撓性トップフィルム材料が破壊する（可撓性トップフィルムの塑性変形が起こる点とみなされる）までの可撓性トップフィルム材料の伸張の比率として測定される。可撓性トップフィルムは、破壊までに２５０〜７００％伸張可能、例えば３００〜６００％伸張可能、例えば３５０〜４５０％伸張可能、例えば４００％伸張可能であってもよい。
【００６５】
皮膚に優しい弾性粘着剤層は１つ以上の粘着剤層を含んでもよい。
【００６６】
本発明による第１の皮膚に優しい弾性粘着剤は、医療目的に好適な任意の感圧粘着剤組成物であってもよい。この感圧粘着剤組成物は、ゴム系エラストマー基材及び１種以上の水溶性又は水膨潤性ハイドロコロイドを含んでもよい。この粘着剤組成物は、１種以上のポリイソブチレン２５〜６０％と、１種以上のスチレン共重合体３〜３５％と、１種以上のハイドロコロイド２０〜６０％との実質的に均一な混合物を含み、１種以上のポリイソブチレンと、１種以上のスチレン共重合体と、１種以上のハイドロコロイドとの重量パーセントを合計すると粘着剤組成物の１００重量％になる。このような組成物の更なる情報については、本出願人に付与された欧州特許第１５４１１８０Ｂ１号明細書を参照されたい。
【００６７】
実施形態では、第１の皮膚に優しい粘着剤は弾性である。これは、第１の皮膚に優しい粘着剤が弾性特性を有することを意味する。
【００６８】
第１の皮膚に優しい弾性粘着剤層の厚みは、８００μｍ〜２０００μｍ、例えば１０００μｍ〜１８００μｍ、例えば１２００μｍ〜１６００μｍに対応する０．８〜２ｍｍの範囲内であってもよい。
【００６９】
オストミー面板の製造について、製造の一例は以下の通りである。まず、可撓性トップフィルムの近位表面上に粘着剤を付与し、その後、少なくとも１つの剥離ライナーを粘着表面に付与し、平坦な積層品ブランクを用意する。平坦な積層品ブランクの少なくとも第１のセクションを、その後、続いて真空成形機械内に置く。この成形ツールは、平坦な第１のセクション及び凸状の第２のセクションなどの適切な形態を有する。積層品ブランクを軟化させるために、放射熱源などの加熱手段を真空成形機械とともに配置し、適切な保持時間にわたり積層品ブランクに熱及び真空成形を施す。或いは、積層品ブランクはまた、加熱及び圧力ダイ、又は事実上、任意の他の適切な手順により製造してもよい。
【００７０】
第１の皮膚に優しい粘着剤はその弾性により、成形プロセスにおいて、可撓性トップフィルム及び少なくとも１つの剥離ライナーとともに、第１及び第２のセクションの所望の形状に容易に適応してもよい。事実、上記の成形プロセスが施されると、本発明によるオストミー面板の少なくとも第２のセクションは、その高度な適応性にもかかわらず、最初は常に凸形状を有する。前述のように、これは、例えば比較的剛性であり、「反転される／反転されないのいずれか」の概念でのみ適応できる既知の双安定凸型オストミー製品とは対照的であると理解され得る。
【００７１】
第２のセクションは、各花弁部を皮膚に取り付けるなど、第２のセクションの周囲セクションを取り付けることによって使用者の皮膚表面に永久に係合させてもよい。皮膚表面への第２のセクションの係合は、第１のセクションがストーマ周囲皮膚表面と永久に係合した後に実施してもよい。
【００７２】
第２のセクションは、適応可能なオストミー面板の第１のセクションを取り囲む。
【００７３】
実施形態では、適応可能なオストミー面板は、第２の皮膚に優しい粘着剤を含む。
【００７４】
第２の皮膚に優しい粘着剤は、面板の一部分に異なる特性及び／又は効果を付与するために提供してもよい。一例として、第２の皮膚に優しい粘着剤は、より少量若しくはより多量のハイドロコロイドなどの水分吸収成分を含んでもよく、及び／又は第１の皮膚に優しい粘着剤に比べてより適応可能であってもあまり適応可能でなくてもよい。第２の皮膚に優しい粘着剤は１つ又は複数のゾーン又は領域に付与されてもよい。このゾーン又は領域は、第２の皮膚に優しい粘着剤の機能又は効果に応じて特定の適切な形状又は形態を有してもよい。
【００７５】
実施形態では、第２の皮膚に優しい粘着剤は第１のセクション上に付与されている。
【００７６】
この第１及び第２の皮膚に優しい粘着剤の配置により、１つの特性集合を有する第２の皮膚に優しい粘着剤がストーマ周囲領域を覆い、別の特性集合を有する第１の皮膚に優しい粘着剤がストーマ周囲皮膚表面の周囲で（半径方向に越えて）皮膚表面を覆うオストミー面板を効果的に提供する。
【００７７】
実施形態では、第２の皮膚に優しい粘着剤は弾性である。これは、第１の皮膚に優しい弾性粘着剤に加えて、第２の皮膚に優しい粘着剤も弾性特性を有することを意味する。第２の皮膚に優しい粘着剤は、第１の皮膚に優しい弾性粘着剤に比べて弾性がより高くても低くてもよく、必要に応じて２つの粘着剤が更に同一の弾性を有してもよい。
【００７８】
通常、構造の弾性が引張弾性率（Ｅ）（ヤング率としても知られている）により測定される場合、通常、粘着剤の弾性は剛性率（Ｇ）により測定される。
【００７９】
粘着剤のような粘弾性物質の剛性率は、損失弾性率（Ｇ”）と呼ばれる粘性部分と、貯蔵弾性率（Ｇ’）と呼ばれる弾性部分とに分離することができる。したがって、粘着剤の弾性応答は、粘着剤分野の当業者に周知であり且つ確立された手法である動的機械的分析（ＤＭＡ）によりＧ’を測定することによって測定され得る。
【００８０】
通常の日常生活による身体の動きは、通常、約１〜１０Ｈｚの振動数において生じる。これらの振動数において、第１の皮膚に優しい弾性粘着剤のＧ’は８５０〜１２００ＭＰａの範囲であってもよく、一方で第２の皮膚に優しい弾性粘着剤のＧ’は４０〜８０ＭＰａの範囲であってもよい。
【００８１】
実施形態では、第２の皮膚に優しい弾性粘着剤は、極性可塑化油、又は最終的な第２の粘着剤の１０％（ｗ／ｗ）超の含有量の極性可塑化油と少なくとも１種の極性ポリエチレン共重合体との組み合わせを含み、ポリエチレン共重合体の含有量は最終的な第２の粘着剤の１０〜５０％（ｗ／ｗ）であり、ポリエチレン共重合体は２ｇ／１０分（１９０℃／２１．１Ｎ）以下のメルトフローインデックスを有する。
【００８２】
第２の皮膚に優しい粘着剤に使用してもよいポリマーは、概して、エチレンと極性モノマーとの共重合体である。この共重合体は、典型的には約７０％未満のエチレンを含み、５０ｇ／ｍ２／日を超える透湿度及び２ｇ／１０分（１９０℃／２１．１Ｎ）未満のメルトフローインデックスを有する。メルトフローインデックスは、ＩＳＯ１１３３及びＡＳＴＭ  Ｄ１２３８に記載された方法により測定され得る。このようなポリマーの例は、エチレンと酢酸ビニルとの共重合体及びエチレンとアクリル酸ブチルとの共重合体である。特に好ましいのは、約４０％（ｗ／ｗ）超の酢酸ビニル、２ｇ／１０分（１９０℃／２１．１Ｎ）未満のメルトフローインデックス、及びＭＶＴＲ試験法（逆カップ法（ｉｎｖｅｒｔｅｄ  ｃｕｐ  ｍｅｔｈｏｄ））により測定した場合に１５０μｍシートで５０ｇ／ｍ２／日を超える透湿度を有するエチレン酢酸ビニル共重合体である。
【００８３】
第２の皮膚に優しい粘着剤に好適な粘着剤の種類に関する更なる情報は、これらの実施形態に開示され、本出願人の公開出願である国際公開第２００９／００６９０１Ａ１号パンフレットに記載されている。
【００８４】
実施形態では、第２の皮膚に優しい弾性粘着剤の厚みは、３００〜７００μ−ｍ、例えば５５０〜６５０μｍ、例えば６００μｍである。
【００８５】
実施形態では、粘着性面板は、使用中、使用者の皮膚に面する近位（「皮膚に面する」）表面と、使用中、使用者の皮膚と反対側に面する遠位（「皮膚に面しない」）表面とを有する。使用前、粘着性面板の近位表面は、粘着剤に着脱可能に付着させた剥離ライナーによって覆われ得る。剥離ライナーは、粘着性面板を皮膚に適用する直前に使用者により取り外され得る。使用前及び使用中の両方において、粘着性面板の遠位表面はトップフィルムで構成され得る。トップフィルムは、収集用バッグを例えば溶接によって粘着性面板に取り付けるために使用され得る。
【００８６】
粘着性面板は吸収性粘着剤組成物を含んでもよい。吸収性粘着剤組成物は、水分を吸収することができる。オストミーデバイスの一部分として吸収性粘着剤組成物を有する目的は、吸収性粘着剤組成物に、皮膚により生成された水分を吸収させ、それによりオストミーデバイスの下の皮膚表面に水分が蓄積するのを防止することである。皮膚表面上における水分の蓄積は、浸軟などの皮膚の損傷につながる可能性がある。
【００８７】
一態様では、本発明は、収集バッグ及び適応可能なオストミー面板を含み、収集バッグは、面板から着脱可能である、オストミー装具に関する。
【００８８】
一態様では、本発明は、収集バッグ及び適応可能なオストミー面板を含み、収集バッグは、ベースと一体化されている、オストミー装具に関する。
【００８９】
実施形態では、第２の吸収性粘着剤組成物は粘着性面板の第１のセクションにのみ配置されている。吸収性粘着剤組成物は粘着性面板の第１のセクション内に略リング形状要素として配置されており、したがって、使用中、ストーマを取り囲んでいてもよい。非吸収の又は吸収がより少ない第１の粘着剤がトップフィルムと第２の粘着剤との間に配置され、半径方向に延びて、面板の第２のセクションを覆ってもよい。
【００９０】
剥離ライナーは、医療デバイスの剥離ライナーとして有用なことが知られている任意の材料のものであってもよい。例えば、剥離ライナーは、粘着剤をライナーから容易に剥離することを可能にする剥離性を有するポリマーフィルム、箔、又は紙の形態であってもよい。このような性質は材料に固有のものであってもよく、又は層にシリコン処理を施しても、低表面張力コーティングをコーティングしても、他の適切な表面改質を行ってもよい。剥離ライナーは、概して、ポリエチレン、ポリプロピレン、又はポリエチレンテレフタレートなどの機械的に剛性のある裏材上に作製されている。この剛性により、収集デバイスを適用する際に粘着性面板を支持する。
【００９１】
実施形態では、第２の吸収性粘着剤組成物は、粘着性面板の穴の周りに配置されており、剥離ライナーに接触しているリング形状の粘着剤要素の形態である。このようなリング形状の吸収性粘着剤要素は、３０〜７０ｍｍ、例えば４０〜７０ｍｍ、例えば５０〜７０ｍｍ、例えば６０〜７０ｍｍの直径を有し得る。リング形状の粘着剤要素は、例えば、３０ｍｍ、４０ｍｍ、５０ｍｍ、６０ｍｍ、又は７０ｍｍの直径を有し得る。リング形状要素は、少なくとも１０ｍｍ、少なくとも２０ｍｍ、少なくとも３０ｍｍ、少なくとも４０ｍｍ、少なくとも５０ｍｍ、１０〜２０ｍｍ、１０〜３０ｍｍ、１０〜５０ｍｍ、２０〜３０ｍｍ、２０〜４０ｍｍ、２０〜５０ｍｍ、３０〜４０ｍｍ、３０〜５０ｍｍ、又は４０〜５０ｍｍの幅（即ち、リングの表面に沿って測定したリングの内縁からリングの外縁までの距離）を有し得る。要素の幅は要素全体にわたって一定であり得るか、又は要素の幅は変化させてもよい。
【００９２】
粘着剤要素はまた、概ねリング形状、楕円形、又は概ね楕円形態のみを有し得る。この場合、前述の直径は、要素の外縁部上の一点から要素の外縁部上の別の点までの最大距離である。
【００９３】
実施形態では、第２の吸収性粘着剤組成物は、スチレン、イソプレン、ブタジエン、エチレン、及びブチレンからなる群から選択されるモノマー単位を含むポリマーを含む。
【００９４】
実施形態では、第２の吸収性粘着剤組成物はスチレンブロック共重合体を含む。
【００９５】
実施形態では、第２の吸収性粘着剤組成物は、スチレン−イソプレン−スチレン（ＳＩＳ）、スチレン−ブタジエン−スチレン（ＳＢＳ）、スチレン−イソブチレン−スチレン（ＳＩＢＳ）、及びスチレン−エチレン／ブチレン−スチレン（ＳＥＢＳ）からなる群から選択されるスチレンブロック共重合体を含む。
【００９６】
実施形態では、第２の吸収性粘着剤組成物はポリエチレン共重合体を含む。
【００９７】
実施形態では、第２の吸収性粘着剤組成物は、エチレン酢酸ビニル、エチレン酢酸ビニル一酸化炭素、エチレンブチルアセテート、エチレンビニルアルコール、エチレンブチルアクリレート、エチレンブチルアクリレート一酸化炭素、及びこれらの組み合わせからなる群から選択されるポリエチレン共重合体を含む。
【００９８】
実施形態では、第２の吸収性粘着剤組成物は、ポリイソブチレン（ＰＩＢ）を含む。
【００９９】
実施形態では、第２の吸収性粘着剤組成物は、ハイドロコロイド、マイクロコロイド、塩、及び超吸収性粒子からなる群から選択される吸収性材料を含む。
【０１００】
実施形態では、吸収性粘着剤組成物は、組成物の１〜６０％（ｗ／ｗ）の量の吸収性材料を含む。
【０１０１】
例えば、吸収性粘着剤組成物は、組成物の１〜４０％（ｗ／ｗ）、又は１〜２０％（ｗ／ｗ）、又は２０〜４０％（ｗ／ｗ）、又は２０〜６０％（ｗ／ｗ）、又は４０〜６０％（ｗ／ｗ）、又は２５〜５０％（ｗ／ｗ）の量の吸収性材料を含む。
【０１０２】
実施形態では、吸収性材料は、ハイドロコロイド、水溶性塩、単糖、二糖、及びオリゴ糖、糖アルコール、ポリペプチド、有機酸、無機酸、アミノ酸、アミン、尿素、ポリアクリル酸などの超吸収性粒子、ポリエチレングリコールなどのグリコール、ヒュームドシリカ、ベントン、ベントナイト、並びにこれらの混合物から選択される。
【０１０３】
実施形態では、ハイドロコロイドは、グアーガム、ローカストビーンガム、ペクチン、ジャガイモデンプン、アルギン酸塩、ゼラチン、キサンタン又はガムカラヤ、セルロース誘導体、カルボキシメチルセルロースの塩、ナトリウムカルボキシメチルセルロース、メチルセルロース、ヒドロキシプロピルセルロース、ヒドロキシエチルセルロース、デンプングリコール酸ナトリウム、ポリビニルアルコール、及びこれらの混合物から選択される。
【０１０４】
実施形態では、水溶性塩は、ＮａＣｌ、ＣａＣｌ２、Ｋ２ＳＯ４、ＮａＨＣＯ３、Ｎａ２ＣＯ３、ＫＣｌ、ＮａＢｒ、Ｎａｌ、ＫＩ、ＮＨ４Ｃｌ、ＡｌＣｌ３、ＣＨ３ＣＯＯＮａ、ＣＨ３ＣＯＯＫ、ＨＣＯＯＮａ、ＨＣＯＯＫ、及びこれらの混合物から選択される。
【０１０５】
実施形態では、切換可能及び／又は吸収性粘着剤組成物は、粘着付与剤、増量剤、非反応性ポリマー、油（例えば、ポリプロピレンオキシド、エチレンオキシド−プロピレンオキシド共重合体、鉱油）、可塑剤、充填剤、及び界面活性剤などの成分を含んでもよい。
【０１０６】
図１に、適応可能な面板の一実施形態の頂面図を示す。この板は、ストーマを収容するための穴２を取り囲む第１の中心セクション１と、第２の周囲セクション３とを含み、周囲セクションには、外部境界４にエンボス線が設けられている。板の外部境界は、ブリッジ６によって相互連結した半径方向に延びている花弁部５によって画定される。第１のセクション１から第２のセクション３への移行部には補強リング７が配置されている。第１のセクションは、穴を取り囲む同心状の起伏を含む。
【０１０７】
図２に、より剛性のある材料のリングの形態の補強構造体７を備える面板の第１の中心部の断面図を示す。収集バッグは面板（図示せず）に取り付けられてもよい。近位表面には、トップフィルムと、粘着剤の遠位の第１の層と、粘着剤の近位の第２の層とが付与されている。補強リング７は外縁部８及び内縁部９を含み、このリングは外縁部９に沿ってトップフィルムに取り付けられている。補強リングの内縁部９はトップフィルムに取り付けられておらず、リングの内縁部９の下にある面板の一部が補強リングから独立して動くことを可能にする。面板の第１のセクション１には、第１の粘着剤へ少なくとも一部延びている同心状の谷１０及び山１１の形態の起伏が設けられている。起伏は、図２に示すように、山及び谷の高さ並びに幅が同じで均一に分配されてもよく、又は起伏は異なる寸法の谷及び／若しくは山を含んでもよい。
【０１０８】
図３ａ及び図３ｂに別の実施形態を示す。この実施形態では、補強リング７が収集バッグの取り付け用のカップリング１２と組み合わせられ、且つカップリング１２と一体化されているとともに、１つの山１１ａがリングの下にあり、これに非常に広い低い山１０ａが続いている。この広い低い山１０ａはリングより更に半径方向内側に延びており、したがってリングの内縁部９より更に半径方向内側に延びている。
【０１０９】
図４ａ及び図４ｂに、反転された状態でどのように見えるかを示す面板の断面図を示す。線Ａは、反転された後の起伏のない面板の形態を示す一方、線Ｂは、起伏のある面板の形態を示す。示され得るように、起伏のない板内において面板の内部境界は上昇する一方、起伏のある板は皮膚に追従する。
【実施例】
【０１１０】
適応可能なオストミー面板の特定の実施例では、以下の材料、寸法、及びプロセスパラメータを用いる。
【０１１１】
可撓性トップフィルムは無延伸３層積層品であり、最遠位層がＥｌｖａｘ（登録商標）３１９０とＯｒｅｖａｃ（登録商標）１８３６０とのブレンド、中間層がＥｌｖａｘ（登録商標）３１９０と、Ｅｌａｓｔｏｌｌａｎ（登録商標）８９０と、Ｅｌａｓｔｏｌｌａｎ（登録商標）９７８とのブレンド、近位層がＥｌｖａｘ（登録商標）３１９０と、Ｅｌａｓｔｏｌｌａｎ（登録商標）８９０と、Ｅｌａｓｔｏｌｌａｎ（登録商標）９７８とのブレンドである。本発明によれば、遠位層及び近位層は微量のスリップ剤を付加的に含む。可撓性トップフィルムの厚みは４０μｍである。
【０１１２】
本発明による第１の皮膚に優しい弾性粘着剤は、可撓性トップフィルムの近位表面上の、面板の第１のセクションに対応する領域又はゾーン内に付与されている。起伏のない領域における第１の皮膚に優しい弾性粘着剤の厚みは約１６００μｍである（ごくわずかな製造ばらつきがある）。面板の近位粘着表面上に１つの剥離ライナーが付与されている。この剥離ライナーは８０μｍの厚みを有する。このブランクをエンボス加工し、切断して、山及び谷の形態の起伏を有する面板とした。山における粘着剤の厚みは１．６ｍｍである一方、谷の厚みは１．２ｍｍであった。山間の距離は１．６ｍｍであった。補強リングの下になる面板の領域には４．５ｍｍの幅及び１．４５ｍｍの厚みを有する谷を設けた。
【０１１３】
この実施例において、第１のセクションは実質的に平坦である一方、第２のセクションは略凸形状を有している。略凸形状を得るために、上に記載したようなオストミー面板ブランク（可撓性トップフィルム＋粘着剤＋剥離ライナー）を１５０℃で２８秒間予熱し、その後、平坦及び凸状セクションが設けられた成形ツールを備える真空成形機械内で成形した。成形ツールの凸面の深さは１２ｍｍであった。粘着板の凸面成形後、トップフィルムに補強リングを溶接した。真空成形後、予め画定されたストーマ受入用貫通穴（寸法、例えば、直径２５ｍｍ）をオストミー面板ブランク内に開けた。
【０１１４】
この実施例において、オストミー面板は、頂点を有する半径方向に延びている花弁部を備える星形の輪郭を有している。全体的な直径（花弁部の頂点で測定した）は直径１００ｍｍである。
【０１１５】
方法
吸水率の特定
測定する吸水率と、ヒトのような環境における実際の性能との間のより良い相関を得るために、ＩＳＯ６２標準規格の一部修正版を使用した。１×２５×２５ｍｍ３の粘着剤片を、両面接着剤を用いて一片のガラスに固定し、この構造物を３２℃の生理食塩水（物質を除去した水中に０．９％のＮａＣｌ）中に浸漬した。２４時間後、サンプルを取り出し、慎重に滴を落として乾燥し、秤量した。重量の変化を重量増加として、粘着剤の本来の乾燥重量のパーセントで記録し、報告した。以下では、この値をｗ２４ｈと称する。
【０１１６】
Ｇ＊の特定
「Ｄｙｎａｍｉｃｓ  ｏｆ  ｐｏｌｙｍｅｒｉｃ  ｌｉｑｕｉｄｓ」，Ｖｏｌ．１，ｓｅｃ．ｅｄ．１９８７，Ｂｉｒｄ，Ａｒｍｓｔｒｏｎｇ  ａｎｄ  Ｈａｓｓａｇｅｒ，Ｊｏｈｎ  Ｗｉｌｅｙ  ａｎｄ  Ｓｏｎｓ  Ｉｎｃ．に定義されているパラメータＧ＊、即ち複素弾性率を粘着剤の硬さの測度として使用した。３２℃及び０．０１ＨｚにおけるＧ＊を以下の通り測定した。粘着材料の板を厚さ１ｍｍの板にプレスした。直径２５ｍｍの円形サンプルを切り出し、Ｔｈｅｒｍｏ  Ｅｌｅｃｔｒｏｎ製のＲｈｅｏＳｔｒｅｓｓ  ＲＳ６００レオメータ内に置いた。適用した幾何学的配置は平行平板２５ｍｍであり、変形は１％に固定し、測定値が線形範囲内にあるようにした。測定は３２℃で行った。
【０１１７】
裏層の柔軟性の特定
粘着性面板の柔軟性を測定するために標準規格ＩＳＯ５２７−１の試験ガイドラインを使用した。しかしながら、ＩＳＯ５２７−１に定義されるパラメータは、それ自体、オストミーデバイスの関連パラメータを正確に表すために十分なものではない。オストミーデバイスは、腹部上、即ち、２０％を超えて容易に変形し得る皮膚上に配置される。軟質トップフィルムを備える軟質の粘着性面板の対応する変形は同じ大きさである。このため、粘着性面板の柔軟性（弾性率）は、２０％の変形における力（ニュートン）を初期サンプル幅で除したものとして定義した。ＩＳＯ５２７−２の図１に記載されているものと同様の「ドッグボーン」試験片を使用したが、異なる寸法を有し、いくつかの粘着性面板がＩＳＯ５２７−１で試験するには小さすぎることに対処した。ＩＳＯ５２７．２の図１のサンプルに対応する試験サンプルを使用したが、狭い部分の幅ｂ１は４ｍｍであり、ゲージ長Ｌ０は１０ｍｍであった。ＩＳＯ５２７−１に記載されているように、相対変形εは、絶対変形ΔＬを初期長Ｌ０で除すことで算出した。変形速度は１ｍｍ／ｓに設定した。ほとんどのフィルムが等方性であることに対処するために、サンプルは最も柔軟な方向において測定した。得られた値は少なくとも３つの測定値の平均値である。
【図１】
2018527999.tif 000003
【図２】
2018527999.tif 000004
【図３ａ】
2018527999.tif 000005
【図３ｂ】
2018527999.tif 000006
【図４】
2018527999.tif 000007
【国際調査報告】
2018527999.tif 000008
2018527999.tif 000009
2018527999.tif 000010